(57)【要約】【課題】  伝送経路が近接する２波長のレーザ光であっても、そのメインビームとサブビームとをそれぞれ分割して受光することができる光ピックアップ装置を提供する。【解決手段】  光検出器８は反射メインビームを受光する３行２列に配列形成された６つの受光素子１１〜１６と、第１の反射サブビームを受光する２行２列に配列形成された４つの受光素子２１〜２４と、第２の反射サブビームを受光する２行２列に配列形成された４つの受光素子３１〜３４とを備える。第１レーザ光利用時には、受光素子１１〜１４で第１レーザ光のメインビームを受光し、受光素子２１〜２４、３１〜３４で第１レーザ光のサブビームを受光する。第２レーザ光利用時には、受光素子１３〜１６で第２レーザ光のメインビームを受光し、受光素子２３，２４，３３，３４で第２レーザ光のサブビームを受光する。【選択図】  図１
2005085369.tif 000002
【特許請求の範囲】
【請求項１】
波長の異なる第１・第２レーザ光を所定距離平行にずらしてディスクに向けて出力するレーザ光出力手段と、前記第１・第２レーザ光をそれぞれメインビームと該メインビームの両側に対向する２つのサブビームとの３つのビームに分割する回折格子と、各ビームのディスク表面からの反射光を受光して電気信号に変換して出力する光検出手段とを備えた光ピックアップ装置において、
前記光検出手段は、前記第１レーザ光のサブビームの反射光を略中心で４分割するとともに、前記第２レーザ光のサブビームの反射光を２分割して受光するサブビーム用受光素子と、
前記第１レーザ光の２つのサブビームの各受光領域における同一分割領域の受光素子からの電気信号を加算して出力するか、前記第２レーザ光の２つのサブビームの分割された各受光領域の受光素子からの電気信号を出力するかを選択する選択手段と、
前記第１レーザ光のメインビームの受光領域、および前記第２レーザ光のメインビームをそれぞれ４分割して受光するメインビーム用受光素子とを備えたことを特徴とする光ピックアップ装置。
【請求項２】
波長の異なる第１・第２レーザ光を所定距離平行にずらしてディスクに向けて出力するレーザ光出力手段と、前記第１・第２レーザ光をそれぞれメインビームと該メインビームの両側に対向する２つのサブビームとの３つのビームに分割する回折格子と、各ビームのディスクからの反射光を受光して電気信号に変換して出力する光検出手段とを備えた光ピックアップ装置において、
前記光検出手段は、前記第１レーザ光のサブビームの反射光を略中心で４分割するとともに、前記第２レーザ光のサブビームの反射光を２分割して受光するサブビーム用受光素子を備えたことを特徴とする光ピックアップ装置。
【請求項３】
前記光検出手段は、前記第１レーザ光の２つのサブビームの各受光領域における同一分割領域の受光素子からの電気信号を加算して出力するか、前記第２レーザ光の２つのサブビームの分割された各受光領域の受光素子からの電気信号を出力するかを選択する選択手段を備えた請求項２に記載の光ピックアップ装置。
【請求項４】
前記光検出手段は、前記第１レーザ光のメインビーム、および前記第２レーザ光のメインビームをそれぞれ４分割して受光するメインビーム用受光素子を備えた請求項２または請求項３に記載の光ピックアップ装置。
【発明の詳細な説明】
【技術分野】
【０００１】
この発明は、ディスク面にレーザ光を照射し、その反射光を受光して電気信号に変換する光ピックアップ装置、特に、異なる２波長のレーザ光を用いた光ピックアップ装置に関するものである。
【背景技術】
【０００２】
ＤＶＤやＣＤなどの光ディスクに対してデータの記録再生を行う光ディスク装置では、光ピックアップ装置からレーザ光を光ディスクの記録面に照射し、その反射光を受光して、電気信号に変換することで、光ディスクに記録されている情報をディジタルデータに変換して再生している。また、光ディスク装置では、光ディスクに照射するレーザ光が適正となるように、フォーカス制御およびトラッキング制御を行っている。これらの制御を行うため、光ディスク装置の光ピックアップ装置は、半導体レーザ素子から出力されたレーザを回折格子に通すことで、メインビーム（０次回折光）と２つのサブビーム（−１次回折光、＋１次回折光）とに分離して、所定の光伝送経路を通じて、光ディスク表面に照射する。そして、これらメインビームやサブビームの反射光を受光し、非点収差法や差動非点収差法等を用いて前記各制御に利用している。これらの方法では、受光した光を略中心から十字に分割した各受光領域での受光強度を利用している。このため、従来の光ピックアップ装置ではメインビームを受光する受光領域に複数の受光素子を配列形成した光検出器が用いられている。
【０００３】
また、ＤＶＤとＣＤとの両方を記録再生できる光ディスク装置では、ＤＶＤ用のレーザ光とＣＤ用のレーザ光との波長が異なるため、それぞれの波長のレーザ光を出力するレーザ出力素子が必要となる。このような２波長のレーザ光を出力するレーザ出力素子としては、１パッケージ内に２つ波長のレーザ出力素子をそれぞれ備えるハイブリッド型のレーザ出力素子と、１パッケージ内の１つの半導体素子で２波長のレーザ光を出力するモノリシック型レーザ出力素子とがある。
【０００４】
これらのレーザ出力素子では、レーザ光の出力位置が例えば１１０μｍ程度離れている。このため、このようなレーザ出力素子を用いた光ピックアップ装置では、光検出器に各レーザ反射光の受光領域に対してそれぞれ複数配列形成された受光素子を備えている（例えば、特許文献１、特許文献２参照。）。
【０００５】
【特許文献１】特開２００１−６７７１２公報
【特許文献２】特開２０００−３３９７３８公報
【発明の開示】
【発明が解決しようとする課題】
【０００６】
ところで、サブビームはメインビームから所定間隔離れて伝送されるため、光検出器にレーザ反射光が到達する位置でビーム形状が変形してしまう。このため、サブビームの受光領域をメインビームの受光領域より大きくとらなければならない。例えば、図４に示すように、メインビームの受光領域が１００μｍ×１００μｍ程度の正方形状であったとしても、サブビームの受光領域は１５０μｍ×１００μｍ程度の長方形状にしなければならなかった。ところが、前述のような２波長のレーザ光を出力するレーザ出力素子を用いた場合、２つのレーザ反射光のビームスポットの中心間距離が１１０μｍ程度しかないため、メインビームの受光素子はレーザ光毎に配列形成できても、サブビームの受光素子はそれぞれのレーザ光受光領域が重なり合うため、レーザ毎に配列形成することができない。
【０００７】
ここで、ＤＶＤには規格としてＤＶＤ−Ｒ／ＷとＤＶＤ−ＲＡＭとが存在し、ＤＶＤ−ＲＡＭを再生する場合にはフォーカス制御にメインビームとサブビームとの３ビームを用いた差動非点収差法が一般に用いられている。しかしながら、前述のようなレーザ出力素子を用いた場合、ＣＤ用レーザ光の受光領域とＤＶＤ−ＲＡＭ用の受光領域とが重なってしまい、これらをともに再生できる光ディスク装置を実現することができなかった。
【０００８】
この発明の目的は、ＣＤ，ＤＶＤ−Ｒ／Ｗ，ＤＶＤ−ＲＡＭの全てを記録再生できる光ディスクを実現するため、伝送経路が近接する２波長のレーザ光であっても、そのメインビームとサブビームとをそれぞれ分割して受光することができる光ピックアップ装置を提供することにある。
【課題を解決するための手段】
【０００９】
この発明は、それぞれに波長の異なる第１・第２レーザ光を所定距離平行にずらしてディスクに向けて出力するレーザ光出力手段と、前記第１・第２レーザ光をそれぞれメインビームと該メインビームの両側に対向する２つのサブビームとの３つのビームに分割する回折格子と、各ビームのディスク表面からの反射光を受光して電気信号に変換して出力する光検出手段とを備えた光ピックアップ装置において、光検出手段に、第１レーザ光のサブビームの反射光を略中心で４分割するとともに、第２レーザ光のサブビームの反射光を２分割して受光するサブビーム用受光素子を備えたこと特徴としている。
【００１０】
また、この発明は、光検出手段に、第１レーザ光のメインビームの反射光、および第２レーザ光のメインビームの反射光をそれぞれ４分割して受光するメインビーム用受光素子を備えたことを特徴としている。
【００１１】
この構成では、第１レーザ光の反射光のメインビームとサブビームとが受光されるとともに、第２レーザ光の反射光のメインビームとサブビームとが受光される。さらに、メインビーム、サブビームとも受光領域が分割されていることで、メインビームを１ビームのみを利用した非点収差法、位相プッシュプル法や、メインビームとサブビームの３ビームを利用した差動非点収差法がレーザ光の種類に関係なく行える。
【００１２】
また、この発明は、光検出手段に、第１レーザ光の２つのサブビームの各受光領域における同一分割領域のサブビーム用受光素子からの電気信号を加算して出力するか、第２レーザ光の２つのサブビームの分割された各受光領域のサブビーム用受光素子からの電気信号を出力するかを選択する選択手段を備えたことを特徴としている。
【００１３】
この構成では、光検出手段内部で、第１レーザ光に対する出力と第２レーザ光に対する出力とが選択されるので、それぞれのレーザ光に対して個別に外部接続端子を設けるよりも、光検出手段の外部接続端子数が抑制される。
【発明の効果】
【００１４】
この発明によれば、２波長のレーザ光のいずれであっても、メインビームとサブビームの反射光を受光することができる光ピックアップ装置を構成することができる。これにより、一方のレーザ光をＤＶＤ用とし、他方のレーザ光をＣＤ用にすることで、光ディスクの種類によることなく３ビームを用いたフォーカス制御またはトラッキング制御を行うことができる光ディスク装置を構成することができる。すなわち、ＤＶＤ−Ｒ／Ｗ，ＤＶＤ−ＲＡＭ，およびＣＤのいずれに対しても記録再生を行える光ディスク装置を構成することができる。
【発明を実施するための最良の形態】
【００１５】
本発明の実施形態に係る光ピックアップ装置を備えた光ディスク装置について図を参照して説明する。
図１は本発明の光ピックアップ装置の光学系の主要部を示すブロック図である。
図１に示すように、光ピックアップ装置は、２波長レーザ素子１、回折格子２、プリズム３、波長板４、反射ミラー５、コリメータレンズ６、対物レンズ７、および光検出器８からなる。
【００１６】
２波長型レーザ素子１は、単一の半導体パッケージで２波長のレーザ光を出力するモノリシック型レーザダイオード等からなり、第１レーザ光と第２レーザ光とは所定間隔離れた位置から平行に出力される。２波長型レーザ素子１から出力されたレーザ光は、回折格子２を通過することで、メインビーム（０次回折光）と２つのサブビーム（＋１次回折光、−１次回折光）に回折する。プリズム３は２波長型レーザ素子１側からの入射光を透過させ、波長板４側からの入射光を９０°反射させるように配置されており、回折格子２から出力されたメインビームおよび２つのサブビームはプリズム３を透過し波長板４に伝搬される。波長板４は入力された光を偏光させるものであり、メインビームとサブビームは波長板４を通過することで偏光して、反射ミラー５に伝搬される。反射ミラー５はメインビームとサブビームとを、光ディスク記録面に垂直な方向に反射する。反射ミラー５で反射されたメインビームとサブビームは、コリメータレンズ６、および対物レンズ７を順次通過することで、光ディスク記録面表面に光スポットをそれぞれ形成する。
【００１７】
そして、光ディスク表面で反射されたメインビーム（以下、「反射メインビーム」という。）およびサブビーム（以下、「反射サブビーム」は、対物レンズ７、コリメータレンズ６を通過して、反射ミラー５で反射され、さらに波長板４を通過してプリズム３まで伝搬される。プリズム３は前述のように波長板４側からの光を９０°反射させるので、反射メインビームおよび反射サブビームは９０°反射し光検出器８に伝搬される。
【００１８】
光検出器８は、受光したメインビームを電気信号に変換することで光ディスクに記録されている情報を読み取る。
【００１９】
図２は光検出器８のブロック図である。
図２に示すように、光検出器８は、本発明のメインビーム用受光素子に相当する反射メインビームを受光する３行２列に配列形成された６つの受光素子１１〜１６と、本発明のサブビーム用受光素子に相当する、第１の反射サブビームを受光する２行２列に配列形成された４つの受光素子２１〜２４、および第２の反射サブビームを受光する２行２列に配列形成された４つの受光素子３１〜３４とを備える。また、光検出器８は、各受光素子１１〜１６，２１〜２４，３１〜３４のそれぞれに接続する配線パターン５１〜６４と、スイッチ７１〜７４と、外部出力端子８１〜８８とを備える。
【００２０】
受光素子１１〜１６は略正方形状の受光面を備える。そして、これら受光素子１１〜１６は、受光素子１１〜１４からなる田の字型の受光領域で第１レーザ光の反射メインビームを分割して受光し、受光素子１３〜１６からなる田の字型の領域で第２レーザ光の反射メインビームを分割して受光する。すなわち、第１レーザ光を利用する場合には、受光素子１１〜１４からの電気信号を加算して光ディスクに記録されている情報を読み取り、第２レーザ光を利用する場合には、受光素子１３〜１６からの電気信号を加算して光ディスクに記録されている情報を読み取る。
【００２１】
受光素子２１，２２は２つのビームの配列方向に平行な方向の辺を長辺とする略正方形状の受光面を備え、受光素子２３，２４は２つのビームの配列方向に平行な方向の辺を長辺とし、長辺が短辺よりも大幅に長い長方形状の受光面を備える。そして、受光素子２１〜２４からなる変形田の字形状の各部分を分割する十字の中心が第１レーザ光の第１反射サブビームの略中心に一致し、受光素子２３，２４が第２レーザ光の第１反射サブビームの受光領域を含むように受光素子２１〜２４が配置されている。このように受光素子２１〜２４を配列形成することで、受光素子２１〜２４で第１レーザ光の第１反射サブビームを４分割して受光し、受光素子２３，２４で第２レーザ光の第１反射サブビームを２分割して受光する。
【００２２】
受光素子３１，３２は２つのビームの配列方向に平行な方向の辺を長辺とする略正方形状に近い長方形状の受光面を備え、受光素子３３，３４は２つのビームの配列方向に平行な方向の辺を長辺とし、長辺が短辺よりも大幅に長い長方形状の受光面を備える。そして、受光素子３１〜３４からなる変形田の字形状の各部分を分割する十字の中心が第１レーザ光の第２反射サブビームの中心に一致し、受光素子３３，３４が第２レーザ光の第２反射サブビームの受光領域を含むように受光素子３１〜３４が配置されている。このように受光素子２１〜２４を配列形成することで、受光素子３１〜３４で第１レーザ光の第２反射サブビームを４分割して受光し、受光素子３３，３４で第２レーザ光の第２反射サブビームを２分割して受光する。
【００２３】
配線パターン５１は受光素子１１とスイッチ７１とを接続し、配線パターン５２は受光素子１２とスイッチ７２とを接続する。配線パターン５３は受光素子１３とスイッチ７１，７３とを接続し、配線パターン５４は受光素子１４とスイッチ７２，７４とを接続する。配線パターン５５は受光素子１５とスイッチ７３とを接続し、配線パターン５６は受光素子１６とスイッチ７４とを接続する。スイッチ７１は外部端子８１に接続し、この外部端子８１を配線パターン５１，５３のいずれかに導通するように切替を行い、スイッチ７２は外部端子８２に接続し、この外部端子８２を配線パターン５２，５４のいずれかに導通するように切替を行う。スイッチ７３は外部端子８３に接続し、この外部端子８３を配線パターン５３，５５のいずれかに導通するように切替を行い、スイッチ７４は外部端子８４に接続し、この外部端子８４を配線パターン５４，５６のいずれかに導通するように切替を行う。
【００２４】
受光素子２１に接続する配線パターン５７と受光素子３１に接続する配線パターン６１とは加算器９１の入力側に接続し、この加算器９１の出力側は配線パターン６５を介して外部端子８５に接続している。受光素子２２に接続する配線パターン５８と受光素子３２に接続する配線パターン６２とは加算器９２の入力側に接続し、この加算器９２の出力側は配線パターン６６を介して外部端子８６に接続している。受光素子２３に接続する配線パターン５９と受光素子３３に接続する配線パターン６３とは加算器９３の入力側に接続し、この加算器９３の出力側は配線パターン６７を介して外部端子８７に接続している。受光素子２４に接続する配線パターン６０と受光素子３４に接続する配線パターン６４とは加算器９４の入力側に接続し、この加算器９４の出力側は配線パターン６８を介して外部端子８８に接続している。
【００２５】
このような構成の光ピックアップを用いて、光ディスクに記録されている情報を読み取る方法および、フォーカス制御やトラッキング制御を行う方法について、次に説明する。
【００２６】
（１）第１レーザ光を用いた場合
ここで、第１レーザ光としては、ＤＶＤ用のレーザ光（波長６５０ｎｍ）を用いた場合を説明する。
【００２７】
２波長型レーザ素子１から出力されたＤＶＤ用レーザ光は、前述の光路を経て、ＤＶＤ記録面の表面に反射して光検出器８に入力される。このＤＶＤ用レーザ光の反射メインビームは受光素子１１〜１４で受光され、第１、第２反射サブビームは受光素子２１〜２４と受光素子３１〜３４とで受光される。受光されたビームはその強度に応じて電気信号に変換され配線パターンを介して外部端子８１〜８８に伝送される。
ここで、受光素子１１〜１４で受光されたビームに対応する電圧をそれぞれＡ，Ｂ，Ｃ，Ｄとし、受光素子２１〜２４で受光されたビームに対応する電圧をそれぞれＧ１，Ｈ１，Ｉ１，Ｊ１とし、受光素子３１〜３４で受光されたビームに対応する電圧をそれぞれＧ２，Ｈ２，Ｉ２，Ｊ２とする。
【００２８】
スイッチ回路７１〜７４には切替信号が入力されており、順次切替を行って外部端子８１〜８４に信号が出力すると、切替を停止し、所定の配線パターンと外部端子８１〜８４とを導通させる。すなわち、ＤＶＤ用レーザ光を利用する場合、配線パターン５１を外部端子８１に導通させ、配線パターン５２を外部端子８２に導通させ、配線パターン５３を外部端子８３に導通させ、配線パターン５４を外部端子８４に導通させる。
【００２９】
このような接続が行われることで、外部端子８１〜８４には受光素子１１〜１４から電圧Ａ，Ｂ，Ｃ，Ｄが伝送されるので、これらを加算することでＲＦ信号を取得することができ、ＤＶＤに記録されている情報を読み取ることができる。
【００３０】
また、ＤＶＤ−Ｒ／Ｗの場合、フォーカスエラー検出は１ビームを用いた非点収差法を用いるため、フォーカスエラー信号（ＦＥ）は、
ＦＥ＝（Ａ＋Ｄ）−（Ｂ＋Ｃ）
である。これにより、外部端子８１〜８４から出力される電圧Ａ〜Ｄを用いることでＤＶＤ−Ｒ／Ｗ記録再生時のフォーカス制御を行うことができる。
一方、外部端子８５〜８８には、加算器９１〜９４を介して、第１サブビームと第２サブビームの同一領域の受光ビーム強度に対応した電圧同士を加算した、電圧Ｇ１＋Ｇ２，Ｈ１＋Ｈ２，Ｉ１＋Ｉ２，Ｊ１＋Ｊ２が伝送されている。
【００３１】
ＤＶＤ−ＲＡＭの場合、フォーカスエラー検出は３ビームを用いた差動非点収差法を用いるため、フォーカスエラー信号（ＦＥ）は、
ＦＥ＝（Ａ＋Ｄ）−（Ｂ＋Ｃ）−ｋ１［｛（Ｇ１＋Ｇ２）＋（Ｊ１＋Ｊ２）｝−｛（Ｈ１＋Ｈ２）−（Ｉ１＋Ｉ２）｝］    （ｋ１は予め設定された定数）
である。これにより、外部端子８１〜８８から出力される電圧Ａ〜Ｄ，電圧Ｇ１＋Ｇ２，Ｈ１＋Ｈ２，Ｉ１＋Ｉ２，Ｊ１＋Ｊ２を用いることでＤＶＤ−ＲＡＭ記録再生時のフォーカス制御を行うことができる。
【００３２】
また、ＤＶＤ再生時のトラッキング制御にはＤＰＤ法を用いるため、再生時トラッキングエラー信号（ＴＥｒ）は、
ＴＥｒ＝ΔＰＨ［（Ａ＋Ｄ）−（Ｂ＋Ｃ）］
すなわち、電圧（Ａ＋Ｄ）と電圧（Ｂ＋Ｃ）の位相差である。これにより、外部端子８１〜８４から出力される電圧Ａ〜Ｄを用いることでＤＶＤ再生時のトラッキング制御を行うことができる。
【００３３】
また、ＤＶＤ記録時のトラッキング制御にはＤＰＰ法を用いるため、記録時トラッキングエラー信号（ＴＥｗ）は、
ＴＥｗ＝（Ａ＋Ｃ）−（Ｂ＋Ｄ）−ｋ２［｛（Ｇ１＋Ｇ２）＋（Ｉ１＋Ｉ２）｝−｛（Ｈ１＋Ｈ２）−（Ｊ１＋Ｊ２）｝］    （ｋ２は予め設定された定数）
である。これにより、外部端子８１〜８８から出力される電圧Ａ〜Ｄ，電圧Ｇ１＋Ｇ２，Ｈ１＋Ｈ２，Ｉ１＋Ｉ２，Ｊ１＋Ｊ２を用いることでＤＶＤ記録時のトラッキング制御を行うことができる。
【００３４】
（２）第２レーザ光を用いた場合
ここで、第２レーザ光としては、ＣＤ用のレーザ光（波長７８０ｎｍ）を用いた場合を説明する。
【００３５】
２波長型レーザ素子１から出力されたＣＤ用レーザ光は、前述の光路を経て、ＣＤ記録面の表面に反射して光検出器８に入力される。このＣＤ用レーザ光の反射メインビームは受光素子１３〜１６で受光され、第１、第２反射サブビームは受光素子２３，２４と受光素子３３，３４とで受光される。受光されたビームはその強度に応じて電気信号に変換され配線パターンを介して外部端子８１〜８８に伝送される。
ここで、受光素子１３〜１６で受光されたビームに対応する電圧をそれぞれＣ，Ｄ，Ｅ，Ｆとし、受光素子２３，２４で受光されたビームに対応する電圧をそれぞれＩ１，Ｊ１とし、受光素子３３，３４で受光されたビームに対応する電圧をそれぞれＩ２，Ｊ２とする。
【００３６】
スイッチ回路７１〜７４には切替信号が入力されており、順次切替を行って外部端子８１〜８４に信号が出力すると、切替を停止し、所定の配線パターンと外部端子８１〜８４とを導通させる。すなわち、ＣＤ用レーザ光を利用する場合、配線パターン５３を外部端子８１に導通させ、配線パターン５４を外部端子８２に導通させ、配線パターン５５を外部端子８３に導通させ、配線パターン５６を外部端子８４に導通させる。
【００３７】
このような接続が行われることで、外部端子８１〜８４には受光素子１３〜１６から電圧Ｃ，Ｄ，Ｅ，Ｆが伝送されるので、これらを加算することでＲＦ信号を取得することができ、ＣＤに記録されている情報を読み取ることができる。
【００３８】
また、ＣＤの場合も、フォーカスエラー検出は１ビームを用いた非点収差法を用いるため、フォーカスエラー信号（ＦＥ）は、
ＦＥ＝（Ｃ＋Ｆ）−（Ｄ＋Ｅ）
である。これにより、外部端子８１〜８４から出力される電圧Ｃ〜Ｆを用いることでＣＤ記録再生時のフォーカス制御を行うことができる。
一方、ＣＤ記録時のトラッキング制御にはＤＰＰ法を用い、記録時トラッキングエラー信号（ＴＥｗ）は、
ＴＥｗ＝（Ｃ＋Ｅ）−（Ｄ＋Ｆ）−ｋ３［｛（Ｇ１＋Ｉ１）−（Ｈ１＋Ｊ１）｝＋｛（Ｇ２＋Ｉ２）−（Ｈ２＋Ｊ２）｝］    （ｋ３は予め設定された定数）
である。ここで、ＣＤ用レーザ光の場合、受光素子２１，２２，３１，３２にはサブビームが入力されないので、外部端子８５，８６からは電圧Ｇ１＋Ｇ２，Ｈ１＋Ｈ２は出力されず、外部端子８７，８８から、電圧Ｉ１＋Ｉ２，Ｊ１＋Ｊ２が出力されるのみとなるが、外部端子８１〜８４から出力される電圧Ｃ〜Ｆと、外部端子８７，８８から出力される電圧Ｉ１＋Ｉ２，Ｊ１＋Ｊ２を用いることで前述の式は満たされるので、ＣＤ記録時のトラッキング制御を行うことができる。
なお、前述の構成を図３に示す構成とすることにより、ＣＤのトラッキングエラー検出に３ビーム法を用いることが可能となる。
【００３９】
図３は、光検出器８の他の配線パターンを示すブロック図である。
図３に示す光検出器８は、外部端子８５を配線パターン６５、５９のいずれかに選択して接続するスイッチ７５と、外部端子８６を配線パターン６６、６０のいずれかに選択して接続するスイッチ７６と、外部端子８７を配線パターン６７、６３のいずれかに選択して接続するスイッチ７７と、外部端子８８を配線パターン６８、６４のいずれかに選択して接続するスイッチ７８とを備えたものであり、他の構成は図２に示した光検出器と同じである。
【００４０】
このような構成とすることで、外部端子８５〜８８からそれぞれＩ１，Ｊ１，Ｉ２，Ｊ２を出力することができる。
【００４１】
ＣＤ再生時のトラッキング制御には３ビーム法が一般に用いられ、この際のトラッキングエラー信号（ＴＥｒ）は、
ＴＥｒ＝（Ｉ１＋Ｊ１）−（Ｉ２＋Ｊ２）
である。これにより、外部端子８５〜８８から出力される電圧Ｉ１，Ｊ１，Ｉ２，Ｊ２を用いることでＣＤ再生時のトラッキング制御を行うことができる。
【００４２】
以上のような構成とすることで、光ディスクの種類によることなく、メインビームと２つのサブビームとをそれぞれ分割して受光することができる光ピックアップ装置を構成することができる。これにより、光ディスクの種類によることなく、３ビーム法、１ビーム法のいずれかを用いて、フォーカス制御およびトラッキング制御を行うことができる光ディスク装置を構成することができる。すなわち、光ディスクの種類によることなく記録再生を行うことができる光ディスク装置を構成することができる。
【図面の簡単な説明】
【００４３】
【図１】本発明の光ピックアップ装置の光学系の主要部を示すブロック図
【図２】光検出器８のブロック図
【図３】光検出器８の他の配線パターンを示すブロック図
【図４】従来の光検出器の受光素子の配列パターンを示す図
【符号の説明】
【００４４】
１−２波長レーザ素子
２−回折格子
３−プリズム
４−波長板
５−反射ミラー
６−コリメータレンズ
７−対物レンズ
８−光検出器
１１〜１６−メインビーム用受光素子
２１〜２４−第１サブビーム用受光素子
３１〜３４−第２サブビーム用受光素子
５１〜６８−配線パターン
７１〜７８−スイッチ
８１〜８８−外部端子
９１〜９４−加算器
【図１】
2005085369.tif 000003
【図２】
2005085369.tif 000004
【図３】
2005085369.tif 000005
【図４】
2005085369.tif 000006